(57)【特許請求の範囲】
【請求項１】
パネル装置であって、
識別子画像を表示する画面と、
支払金額を表示する複数の７セグメントディスプレイと、
前記支払金額を入力するための複数の制御キーと、
前記支払金額を確定させるエンターキーと、を含むパネル装置と、
前記パネル装置に結合され、支払データを処理するプロセッサと、
前記プロセッサに結合され、支払プログラムのデータを記憶するメモリと、
前記プロセッサに結合され、サーバから送信された、前記支払データの支払確認データを受信するトランシーバと、を含み、
前記トランシーバは、無線ベースのトランシーバ又は有線ベースのトランシーバである、クラウド型硬貨投入装置。
【請求項２】
前記識別子画像は、二次元バーコードの画像である、請求項１に記載の装置。
【請求項３】
前記プロセッサに結合され、近距離無線通信の能力を用いてポータブル装置を感知する近距離無線通信モジュールをさらに含む、請求項１に記載の装置。
【請求項４】
前記識別子画像は、少なくとも支払会社マークを含む、請求項３に記載の装置。
【請求項５】
前記パネル装置は、
少なくとも一つの硬貨を受ける硬貨投入口と、
少なくとも一つの硬貨を返金する硬貨返却装置と、を含む、請求項１に記載の装置。
【請求項６】
前記エンターキーが、前記複数の７セグメントディスプレイの下側に配置され、前記複数の制御キーが、前記複数の７セグメントディスプレイ及び前記エンターキーの横に配置された、請求項１に記載の装置。
【請求項７】
前記複数の制御キーは、前記複数の７セグメントディスプレイと前記エンターキーとの間に配置された、請求項１に記載の装置。
【発明の詳細な説明】
【技術分野】
【０００１】
本発明は、クラウド型硬貨投入装置を図示し、より詳細には、第三者支払機能をサポートすることのできるクラウド型硬貨投入装置を図示する。
【背景技術】
【０００２】
技術の進歩に伴い、日用品に交換するための種々の方法が高い利便性で導入されている。最近では、多くの硬貨投入装置、自動券売機、抽選器があらゆるところに置かれている。ユーザは、商品に交換するため、硬貨投入装置の対応する硬貨投入口に硬貨を手動で挿入することによる支払メカニズムを用いることができる。
【０００３】
しかし、従来の硬貨投入装置は、支払機能を達成するために硬貨を挿入することを用いている。たとえば、硬貨を受けるスロットと硬貨を返却するスロットが、一般的には、従来の硬貨投入装置に用いられている。ユーザが硬貨を従来の硬貨挿入装置のスロットに挿入すると、支払金額が受けた硬貨に応じて自動的に生成される。つぢて、いくらかの対応する返却硬貨が返却スロットを通じてユーザに送られる。残念ながら、受けた硬貨の額面についての、検出失敗、誤検出又はエラー検出が従来の硬貨投入装置には生じている可能性がある。例えば、従来の硬貨挿入装置が受けた硬貨の額面を検出することができない（つまり、検出失敗）ときは、全ての受けた硬貨は、返却スロットを通じてユーザに送られることになる。硬貨投入装置により生成された支払金額も再度リセットされ、操作の不便につながる。さらに、特定の種類の硬貨だけが従来の硬貨投入装置には受け入れる可能性がある。たとえば、硬貨投入装置によっては、５セント硬貨を受け入れ拒否する。さらに、ユーザが硬貨をもっていない（又は、ユーザが紙幣しか持っていないともいえる）ときは、ユーザは、従来の硬貨投入装置の動作を進めるため、いくつか特定のタイプの硬貨に貨幣を交換しなければならない。
【先行技術文献】
【特許文献】
【０００４】
【特許文献１】台湾実用新案公告第Ｍ４５６５５６号公報
【特許文献２】台湾実用新案公告第Ｍ４３４２７６号公報
【特許文献３】台湾特許出願公開第２０１５０３０２６号公報
【特許文献４】米国特許出願公開第２０１４／０３５８７０５号明細書
【特許文献５】米国特許出願公開第２０１３／００３５７８７号明細書
【発明の概要】
【０００５】
本発明の実施形態においては、クラウド型硬貨投入装置が開示される。クラウド型硬貨投入装置は、パネル装置と、プロセッサと、メモリと、トランシーバと、を含む。パネル装置は、画面と、複数の７セグメントディスプレイと、複数の制御キーと、エンターキーと、を含む。画面は、識別子画像を表示するのに用いられる。複数の７セグメントディスプレイは、支払金額を表示するのに用いられる。複数の制御キーは、支払金額を入力するのに用いられる。エンターキーは、支払金額を確定させるのに用いられる。プロセッサは、パネル装置に結合され、支払データを処理する。メモリは、プロセッサに結合され、支払プログラムのデータを記憶する。トランシーバはプロセッサに結合され、サーバから送信された支払データを受信する。トランシーバは、無線ベースのトランシーバ又は有線ベースのトランシーバである。
【０００６】
本発明の別の実施形態においては、クラウド型硬貨投入装置が開示される。クラウド型硬貨投入装置は、パネル装置と、プロセッサと、メモリと、を含む。パネル装置は、画面を含む。画面は、識別子画像と、支払金額を表示する金額ウィンドウと、支払金額及び／又は認証コードを入力するための複数の仮想制御キーと、を含む。プロセッサは、パネル装置に結合され、支払データを処理する。メモリは、プロセッサに結合され、支払プログラムのデータを記憶する。
【０００７】
本発明のこれらの目的及び他の目的は、様々な図表及び図面に図示される好ましい実施形態についての次の発明の実施するための形態を読むことにより、当業者には疑いなく明らかとなるだろう。
【図面の簡単な説明】
【０００８】
【図１】図１は、本発明のクラウド型硬貨投入装置のブロック図である。
【図２】図２は、本発明の第１実施形態による、図１のクラウド型硬貨投入装置のパネル装置の正面図である。
【図３】図３は、本発明の第２実施形態による、図１のクラウド型硬貨投入装置のパネル装置の正面図である。
【図４】図４は、本発明の第３実施形態による、図１のクラウド型硬貨投入装置のパネル装置の正面図である。
【図５】図５は、本発明の第４実施形態による、図１のクラウド型硬貨投入装置のパネル装置の正面図である。
【図６】図６は、本発明の第５実施形態による、図１のクラウド型硬貨投入装置のパネル装置の正面図である。
【図７】図７は、本発明の第６実施形態による、図１のクラウド型硬貨投入装置のパネル装置の正面図である。
【図８】図８は、本発明の第７実施形態による、図１のクラウド型硬貨投入装置のパネル装置の正面図である。
【図９】図９は、本発明の第８実施形態による、図１のクラウド型硬貨投入装置のパネル装置の正面図である。
【図１０】図１０は、本発明の第９実施形態による、図１のクラウド型硬貨投入装置のパネル装置の正面図である。
【図１１】図１１は、本発明の第１０実施形態による、図１のクラウド型硬貨投入装置のパネル装置の正面図である。
【図１２】図１２は、本発明の第１１実施形態による、図１のクラウド型硬貨投入装置のパネル装置の正面図である。
【図１３】図１３は、本発明の第１２実施形態による、図１のクラウド型硬貨投入装置のパネル装置の正面図である。
【図１４】図１４は、本発明の第１３実施形態による、図１のクラウド型硬貨投入装置のパネル装置の正面図である。
【図１５】図１５は、本発明の第１４実施形態による、図１のクラウド型硬貨投入装置のパネル装置の正面図である。
【図１６】図１６は、本発明の第１５実施形態による、図１のクラウド型硬貨投入装置のパネル装置の正面図である。
【図１７】図１７は、本発明の第１６実施形態による、図１のクラウド型硬貨投入装置のパネル装置の正面図である。
【発明を実施するための形態】
【０００９】
図１は、クラウド型硬貨投入装置８（cloud  coin  slot  device）のブロック図である。クラウド型硬貨投入装置８は、パネル装置１０と、プロセッサ１２と、トランシーバ１３と、メモリ１４と、を含む。パネル装置１０の種々の構造は、後ほど説明される。パネル装置１０は、支払金額を入力するのに用いられる。プロセッサ１２は、パネル装置１０に結合され、支払データを処理する。メモリ１４は、プロセッサ１２に結合され、支払アプリケーションプログラムのデータを記憶する。トランシーバ１３は、プロセッサ１２に結合され、支払データを送受信する。トランシーバ１３は、無線ベースのトランシーバ又は有線ベースのトランシーバであることができる。クラウド型硬貨投入装置８においては、支払方法はオンライン支払モード又はオフライン支払モードを選択することができる。例えば、識別子画像は、インストールされた支払アプリケーションプログラム（ａｐｐ）を備えたポータブル装置１６とパネル装置１０間で支払情報を特定するのに用いられることができる。次いで、ユーザがオンライン支払モードを選択したときは、ポータブル装置１６及びクラウド型硬貨投入装置８は、支払データを処理するため、サーバ１５への接続を同期的に確立する。これにより、支払処理がオンラインオペレーションを用いることにより完了されることができる。種々のパネル装置１０に関するすべての詳細な動作モード（operational  mode）は、後ほど説明される。メモリ１４は、Ａｌｉｐａｙ（登録商標）等の支払アプリケーションプログラムのデータを記憶するのに用いられることができる。サーバ１５は、第三者支払会社（third-party  payment  company）により稼働されるクラウドサーバ又はワークステーションであることができる。サーバ１５は、支払データを受信する、支払データを確定する、及び、支払処理を完了するのに用いられることができる。特に、ユーザがオフライン支払モードを選択したときは、クラウド型硬貨投入装置８とサーバ１５との間でオフラインのネットワーク状態が維持される。クラウド型硬貨投入装置８は、支払データの妥当性を検証する認証コードを用いることができる。以下、種々のオンライン支払モード及びオフライン支払モード並びにこれらに対応するパネル装置１０のハードウェア構造が記載される。
【００１０】
図２は、クラウド型硬貨投入装置８のパネル装置１０Ａの正面図である。パネル装置１０Ａは、画面１９と、複数の７セグメントディスプレイ２０と、制御キーＡと、制御キーＢと、エンターキーＣと、を含む。複数の７セグメントディスプレイ２０は、支払金額を表示するのに用いられる。制御キーＡ及び制御キーＢは支払金額を入力するのに用いられる。エンターキーＣは、支払金額を確定させるのに用いられる。パネル装置１０Ａを備えたクラウド型硬貨投入装置８の動作モードが下記に説明される。まず、ユーザは制御キーＡ及び制御キーＢを用いて、支払金額を選択又は調整する。例えば、制御キーＡは支払金額を増加させるのに用いられることができる。制御キーＢは支払金額を減少させるのに用いられることができる。ユーザが適切な支払金額の選択を開始すると、７セグメントディスプレイ２０は、リアルタイムで対応する支払金額を表示する。例えば、３つの７セグメントディスプレイ２０は、１２３に等しい支払金額を表示する。支払金額がユーザによって確定された後、ユーザは、エンターキーＣを押すことができる。エンターキーＣが押されると、対応する二次元バーコードが生成され、画面１９上に表示される。特に、二次元バーコードは、クラウド型硬貨投入装置８のメモリ１４内に記憶された支払アプリケーションプログラムのデータにより、プロセッサ１２により生成される。追加的には、画面１９は液晶ディスプレイ又は電子ペーパであることができる。プロセッサ１２は、画面１９上に表示するための任意のタイプの二次元バーコードを生成することができる。例えば、プロセッサ１２は、クイックレスポンスコード（ＱＲコード（登録商標））又はＰＤＦ１４７コードを生成することができる。二次元バーコードが画面１９上に表示された後、ユーザは、ポータブル装置１６のスキャン機能を用いて、二次元バーコードを特定する。ポータブル装置１６のスキャン機能は、ポータブル装置１６内にインストールされた支払アプリケーションプログラム（ａｐｐ）と互換性を有することができる。支払アプリケーションプログラムは、Ａｌｉｐａｙ  ａｐｐ、ＷｅＣｈａｔ（登録商標）  ａｐｐ、ＰａｙＰａｌ（登録商標）  ａｐｐ等の任意の支払アプリケーションプログラムであることができる。ポータブル装置１６が二次元バーコードを特定した後、支払処理がポータブル装置１６の支払アプリケーションプログラムによって開始される。次いで、ポータブル装置１６はサーバ１５（以下、クラウドサーバ１５という）への接続を確立する。クラウドサーバ１５は、第三者支払会社により稼働されるサーバであることができる。クラウド型硬貨投入装置８もクラウドサーバ１５への接続を確立する。次に、ユーザは、支払アプリケーションプログラムの命令により支払処理を行うことを進めることができる。詳細には、クラウド型硬貨投入装置８、ポータブル装置１６及びクラウドサーバ１５は同期的に接続されているので、ユーザがポータブル装置１６内で支払処理を完了すると、クラウドサーバ１５は同期的に支払データ（又は支払メッセージ）を受信し、これを確認することができる。例えば、クラウドサーバ１５は、支払請求及び／又は支払受領の情報を同期させることができる。次いで、クラウド型硬貨投入装置８はトランシーバ１３を通じて、クラウドサーバ１５から支払確認メッセージを受信し、次いで、クラウド型硬貨投入装置８での支払処理を完了させる。特に、クラウド型硬貨投入装置８は、無線ベースのトランシーバ又は有線ベースのトランシーバを用いて、クラウドサーバ１５から支払確認メッセージを受信することができる。クラウド型硬貨投入装置８での支払処理が完了した後、クラウド型硬貨投入装置８はディスペンサー装置にメッセージを送信する。最後に、ディスペンサー装置は、ユーザに向けて対応する商品又はサービスを提供する。実施形態において、パネル装置１０Ａは、硬貨投入口１７と硬貨返却装置１８と、をさらに含む。言い換えると、パネル装置１０Ａを備えたクラウド型硬貨投入装置８は、従来のクラウド型硬貨投入装置の全ての機能を有する。追加的には、パネル装置１０Ａの画面１９は、５５ｍｍに等しい辺の長さがを備えた正方形状の画面であることができる。パネル装置１０Ａは、１２０ｍｍに等しい辺長と８０ｍｍに等しい幅を備えた矩形状の装置であることができる。エンターキーＣは、複数の７セグメントディスプレイ２０の下側に配置されることができる。制御キーＡ及び制御キーＢは複数の７セグメントディスプレイ２０及びエンターキーＣの右側に配置されることができる。しかし、パネル装置１０Ａ及び画面１９のサイズは、図２に限られない。また、制御キーＡ、制御キーＢ、エンターキーＣ及び複数の７セグメントディスプレイ２０の位置は、図２に限られない。クラウド型硬貨投入装置８は、同期的な支払オペレーションを処理するため、ネットワーク通信を用いるので、ユーザは、操作利便性を向上させるオンライン支払モードを選択することができる。
【００１１】
図３は、クラウド型硬貨投入装置８のパネル装置１０Ｂの正面図である。パネル装置１０Ｂは、画面１９と、複数の７セグメントディスプレイ２０と、制御キーＡと、制御キーＢと、エンターキーＣと、硬貨投入口１７と、硬貨返却装置１８と、を含む。支払処理及びパネル装置１０Ｂのコンポーネントの全ての機能は、パネル装置１０Ａと同様であるため、ここでは省略される。詳細には、パネル装置１０Ｂの制御キーＡ、制御キーＢ及びエンターキーＣの位置が、パネル装置１０Ａのキーの位置とは異なる。パネル装置１０Ｂにおいては、制御キーＡ及び制御キーＢは、複数の７セグメントディスプレイ２０とエンターキーＣとの間に配置されている。このため、パネル装置１０Ｂは、パネル装置１０Ａよりも小さいパネル領域で実装されることができる。例えば、パネル装置１０Ｂの画面１９は、４５ｍｍに等しい辺の長さを備えた正方形状のパネルであることができる。パネル装置１０Ｂは、１２０ｍｍに等しい辺長と６０ｍｍに等しい幅を備えた矩形状の装置であることができる。
【００１２】
図４は、クラウド型硬貨投入装置８のパネル装置１０Ｃの正面図である。パネル装置１０Ｃは、画面１９と、複数の７セグメントディスプレイ２０と、制御キーＡと、制御キーＢと、エンターキーＣと、を含む。支払処理及びパネル装置１０Ｃのコンポーネントの全ての機能は、パネル装置１０Ａと同様であるため、ここでは省略される。詳細には、パネル装置１０Ｃには、パネル装置１０Ａの硬貨投入口１７及び硬貨返却装置１８がない。このため、パネル装置１０Ｃは、従来の硬貨挿入ベースの硬貨投入装置とは互換性がない。言い換えると、パネル装置１０Ｃは、パネル装置１０Ａよりも小さいパネル領域で実装されることができるが、従来の硬貨挿入ベースの硬貨投入装置の支払方法をサポートしていない。
【００１３】
図５は、クラウド型硬貨投入装置８のパネル装置１０Ｄの正面図である。パネル装置１０Ｄは、画面１９と、複数の７セグメントディスプレイ２０と、制御キーＡと、制御キーＢと、エンターキーＣと、を含む。支払処理及びパネル装置１０Ｄのコンポーネントの全ての機能は、パネル装置１０Ｂと同様であるため、ここでは省略される。詳細には、パネル装置１０Ｄには、パネル装置１０Ｂの硬貨投入口１７及び硬貨返却装置１８がない。このため、パネル装置１０Ｄは、従来の硬貨挿入ベースの硬貨投入装置とは互換性がない。言い換えると、パネル装置１０Ｄは、パネル装置１０Ｂよりも小さいパネル領域で実装されることができるが、従来の硬貨挿入ベースの硬貨投入装置の支払方法をサポートしていない。
【００１４】
クラウド型硬貨投入装置８の上述のパネル装置１０Ａからパネル装置１０Ｄは、オンライン支払モードを行うことをサポートするため、ハーフディスプレイスクリーン（half  display  screen）を備えたパネル装置として見なされる。詳細には、クラウド型硬貨投入装置８は、近距離無線通信（near  field  communication）の機能を行うこともできる。例えば、図１において、クラウド型硬貨投入装置８は、近距離無線通信モジュールＮＦＣをさらに含むことができる。近距離無線通信モジュールＮＦＣはプロセッサ１２に結合され、近距離無線通信の能力を用いてポータブル装置１６を感知する。このため、クラウド型硬貨投入装置８は、近距離無線通信を通して、ポータブル装置１６への接続を確立することができる。そのようにすることによって、クラウド型硬貨投入装置８は近距離無線通信ベースの支払メカニズムを行うことができる。近距離無線通信ベースの支払メカニズム及び対応するパネル装置が以下に説明される。
【００１５】
図６は、クラウド型硬貨投入装置８のパネル装置１０Ｅの正面図である。パネル装置１０Ｅは、画面１９と、複数の７セグメントディスプレイ２０と、制御キーＡと、制御キーＢと、エンターキーＣと、硬貨投入口１７と、硬貨返却装置１８と、を含む。複数の７セグメントディスプレイ２０は、支払金額を表示するのに用いられる。制御キーＡ及び制御キーＢは支払金額を入力するのに用いられる。エンターキーＣは支払金額を確定させるのに用いられる。パネル装置１０Ｅを備えたクラウド型硬貨投入装置８の動作モードが以下に説明される。まず、ユーザは、制御キーＡ及び制御キーＢを用いて、支払金額を選択又は調整する。ユーザが適切な支払金額の選択を開始すると、７セグメントディスプレイ２０は、リアルタイムで対応する支払金額を表示する。この時、画面１９は近距離無線通信ベースの支払サービスをサポートする種々の支払会社マークを表示する。例えば、画面１９はＱｕｉｃｋ  Ｐａｓｓ（登録商標）及びＡｐｐｌｅ  Ｐａｙ（登録商標）のマークを表示する。次に、近距離無線通信の能力を備えたポータブル装置１６は、ユーザによってパネル装置１０Ｅに近づけられる。次いで、パネル装置１０Ｅの近距離無線通信モジュールＮＦＣは、ポータブル装置１６から支払データ又は支払構成を受信することができる。近距離無線通信モジュールＮＦＣがポータブル装置１６を検出した後、パネル装置１０Ｅはポータブル装置１６への接続を確立し、支払処理を開始する。次いで、ポータブル装置１６及びクラウド型硬貨投入装置８は、クラウドサーバ１５（つまり、第三者支払会社）への接続を確立する。次に、ユーザは、ポータブル装置１６内にインストールされた支払アプリケーションプログラムの命令により支払処理を行うことを進めることができる。詳細には、クラウド型硬貨投入装置８、ポータブル装置１６及びクラウドサーバ１５は同期的に接続されているので、ユーザがポータブル装置１６内で支払処理を完了すると、クラウドサーバ１５は同期的に支払データ（又は支払メッセージ）を受信し、これを確認することができる。例えば、クラウドサーバ１５は、支払請求及び／又は支払受領の情報を同期させることができる。次いで、クラウド型硬貨投入装置８はトランシーバ１３を通じて、クラウドサーバ１５から支払確認メッセージを受信し、次いで、クラウド型硬貨投入装置８の支払処理を完了させる。特に、クラウド型硬貨投入装置８は、無線ベースのトランシーバ又は有線ベースのトランシーバを用いて、クラウドサーバ１５から支払確認メッセージを受信することができる。クラウド型硬貨投入装置８での支払処理が完了した後、クラウド型硬貨投入装置８はディスペンサー装置にメッセージを送信する。最後に、ディスペンサー装置は、ユーザに向けて対応する商品又はサービスを提供する。実施形態において、パネル装置１０Ａは、硬貨投入口１７と硬貨返却装置１８と、をさらに含む。言い換えると、パネル装置１０Ａを備えたクラウド型硬貨投入装置８は、従来のクラウド型硬貨投入装置の全ての機能を有する。追加的には、パネル装置１０Ｅとパネル装置１０Ａのサイズ及び形状は同一であることができる。しかし、パネル装置１０Ｅのサイズ及び形状は任意であるこ��もできる。さらに、制御キーＡ、制御キーＢおよび複数の７セグメントディスプレイ２０の位置は図６に限られない。追加的には、パネル装置１０Ｅの支払処理は上述の支払処理に限られない。例えば、ユーザは、支払金額を設定する工程を無視することができる。言い換えると、ユーザは、ポータブル装置１６の近距離無線通信の機能を直接的にイネイブル（enable）にすることができる。パネル装置１０Ｅは、ポータブル装置１６から所定の支払スキームを自動的に受信することができる。ポータブル装置１６とクラウド型硬貨投入装置８との接続を確立した後、ユーザは、ポータブル装置１６にインストールされた支払アプリケーションプログラムの命令により支払処理の行うことを進めることができる。次いで、クラウド型硬貨投入装置８はトランシーバ１３を通じて、クラウドサーバ１５から支払確認メッセージを受信し、次いで、クラウド型硬貨投入装置８の支払処理を完了させる。そのようにすることにより、同期的な支払オペレーションを行うため、近距離無線通信とともにネットワーク通信を用いるため、ユーザは操作利便性を向上させるオンライン支払モードを選択することができる。
【００１６】
図７は、クラウド型硬貨投入装置８のパネル装置１０Ｆの正面図である。パネル装置１０Ｆは、画面１９と、複数の７セグメントディスプレイ２０と、制御キーＡと、制御キーＢと、エンターキーＣと、硬貨投入口１７と、硬貨返却装置１８と、を含む。支払処理及びパネル装置１０Ｆのコンポーネントの全ての機能は、パネル装置１０Ｅと同様であるため、ここでは省略される。詳細には、パネル装置１０Ｆの制御キーＡ、制御キーＢ及びエンターキーＣの位置が、パネル装置１０Ｅのキーの位置とは異なる。パネル装置１０Ｆにおいては、制御キーＡ及び制御キーＢは、複数の７セグメントディスプレイ２０とエンターキーＣとの間に配置されている。このため、パネル装置１０Ｆは、パネル装置１０Ｅよりも小さいパネル領域で実装されることができる。例えば、パネル装置１０Ｆの画面１９は、４５ｍｍに等しい辺の長さを備えた正方形状のパネルであることができる。パネル装置１０Ｆは、１２０ｍｍに等しい辺長と６０ｍｍに等しい幅を備えた矩形状の装置であることができる。
【００１７】
図８は、クラウド型硬貨投入装置８のパネル装置１０Ｇの正面図である。パネル装置１０Ｇは、画面１９と、複数の７セグメントディスプレイ２０と、制御キーＡと、制御キーＢと、エンターキーＣと、を含む。支払処理及びパネル装置１０Ｇのコンポーネントの全ての機能は、パネル装置１０Ｅと同様であるため、ここでは省略される。詳細には、パネル装置１０Ｇには、パネル装置１０Ｅの硬貨投入口１７及び硬貨返却装置１８がない。このため、パネル装置１０Ｇは、従来の硬貨挿入ベースの硬貨投入装置とは互換性がない。言い換えると、パネル装置１０Ｇは、パネル装置１０Ｅよりも小さいパネル領域で実装されることができるが、従来の硬貨挿入ベースの硬貨投入装置の支払方法をサポートしていない。
【００１８】
図９は、クラウド型硬貨投入装置８のパネル装置１０Ｈの正面図である。パネル装置１０Ｈは、画面１９と、複数の７セグメントディスプレイ２０と、制御キーＡと、制御キーＢと、エンターキーＣと、を含む。支払処理及びパネル装置１０Ｈのコンポーネントの全ての機能は、パネル装置１０Ｆと同様であるため、ここでは省略される。詳細には、パネル装置１０Ｈには、パネル装置１０Ｆの硬貨投入口１７及び硬貨返却装置１８がない。このため、パネル装置１０Ｈは、従来の硬貨挿入ベースの硬貨投入装置とは互換性がない。言い換えると、パネル装置１０Ｈは、パネル装置１０Ｆよりも小さいパネル領域で実装されることができるが、従来の硬貨挿入ベースの硬貨投入装置の支払方法をサポートしていない。
【００１９】
クラウド型硬貨投入装置８の上述のパネル装置１０Ｅからパネル装置１０Ｈは、近距離無線通信とともにオンライン支払モードを行うことをサポートするため、ハーフディスプレイスクリーンを備えたパネル装置として見なされる。詳細には、クラウド型硬貨投入装置８はオフライン支払モード行うこともできる。言い換えると、ユーザはトランザクション（transaction）を取り扱うオフライン支払処理を選択することができる。オフライン支払メカニズム及びこれに対応するパネル装置は以下に説明される。
【００２０】
図１０は、クラウド型硬貨投入装置８のパネル装置１０Ｉの正面図である。パネル装置１０Ｉは画面２１を含む。画面２１は、識別子画像（二次元バーコード）２２と、金額ウィンドウ（amount  window）２４と、複数の仮想制御キー２３と、を含む。金額ウィンドウ２４は、支払金額を表示するのに用いられる。複数の仮想制御キー２３は、支払金額及び／又は認証コードを入力するのに用いられる。パネル装置１０Ｉにおいては、下記に説明するように、オフライン支払モードが導入されている。まず、ユーザは複数の仮想制御キー２３を用いて支払金額を選択する。例えば、ユーザは、１０ドルを示す仮想制御キー２３を押す。ユーザが適切な支払金額の選択を開始すると、金額ウィンドウ２４は、リアルタイムで対応する支払金額を表示する。例えば、金額ウィンドウ２４は、１０に等しい支払金額を表示することができる。ユーザが適切な支払金額の選択を完了した後、二次元バーコード２２が、クラウド型硬貨投入装置８のメモリ内に記憶されている支払アプリケーションプログラムのデータにより、プロセッサ１２により生成される。二次元バーコード２２は、さらに画面２１上に表示される。追加的に、画面２１は、タッチスクリーンである。プロセッサ１２は、画面２１上に表示するための任意のタイプの二次元バーコード２２を生成することができる。例えば、プロセッサ１２は、クイックレスポンスコード（ＱＲコード）又はＰＤＦ１４７コードを生成することができる。二次元バーコード２２が画面２１上に表示された後、ユーザは、ポータブル装置１６のスキャン機能を用いて、二次元バーコード２２を特定することができる。ポータブル装置１６のスキャン機能は支払アプリケーションプログラムと互換性を有することができる。支払アプリケーションプログラムは、Ａｌｉｐａｙ  ａｐｐ、ＷｅＣｈａｔ  ａｐｐ、ＰａｙＰａｌ  ａｐｐ等の任意の支払アプリケーションプログラムであることができる。ポータブル装置１６が二次元バーコードを特定した後、支払処理がポータブル装置１６の支払アプリケーションプログラムによって開始される。ユーザは、支払アプリケーションプログラムの命令により支払処理を行うことを進めることができる。詳細には、ポータブル装置１６及びクラウドサーバ１５が同期的に接続されている。このため、ポータブル装置１６の支払処理が支払アプリケーションプログラムに従って完了された後、クラウドサーバ１５は６つの数字を備える認証コードを生成する。次いで、認証コードがポータブル装置１６に送信される。これにより、ポータブル装置１６は認証コードを表示することができる。詳細には、認証コードは、６つの数字に限られない。例えば、認証コードは、任意の長さを備えた英数字コードであることができる。次に、ユーザは、支払処理を完了させるため、認証コードを画面２１に入力しなくてはならない。例えば、画面２１が二次元バーコードを生成した後、ポータブル装置１６は二次元バーコード２２を特定することができる。次いで、画面２１は、認証コードを入力するためのインタフェースを生成することができる。ユーザはそのインタフェースを用いて、支払金額に対応する認証コードを入力する。特には、認証コードを入力するためのイ���タフェースは、仮想数字キーと、エンターキーを含むことができる。ユーザは、仮想数字キーを用いて、認証コードを入力し、エンターキーを用いることによって認証コードを確定させることができる。最終的に、認証コードは画面２１によって受信されることができる。クラウド型硬貨投入装置８が認証コードの検証に成功した後、クラウド型硬貨投入装置８は、メッセージをディスペンサー装置に送信する。ディスペンサー装置は、ユーザに向けて対応する商品又はサービスを提供する。実施形態において、パネル装置１０Ｉは、硬貨投入口１７と硬貨返却装置１８と、をさらに含む。言い換えると、パネル装置１０Ｉを備えたクラウド型硬貨投入装置８は、従来のクラウド型硬貨投入装置の全ての機能を有する。簡潔に、パネル装置１０Ｉを備えたクラウド型硬貨投入装置８のオフライン支払モードは、ポータブル装置１６内にインストールされた支払アプリケーションプログラムによって生成される認証コードによる検証を用いることによって行われる。追加的には、パネル装置１０Ｉの画面２１は、１０５ｍｍに等しい辺長と５５ｍｍに等しい幅を備えた矩形状の画面であることができる。複数の仮想制御キー２３は、金額ウィンドウ２４の下側に配置される。しかし、パネル装置１０Ｉ及び画面２１のサイズは、図１０に限られない。また、複数の仮想制御キー２３、金額ウィンドウ２４及び二次元バーコード２２の位置は、図１０に限られない。クラウド型硬貨投入装置８は、二次元バーコード２２及びオフライン支払モードを提供するための認証コードを用いることができるため、ユーザは、操作利便性を向上させるオフライン支払モードを選択することができる。
【００２１】
図１１は、クラウド型硬貨投入装置８のパネル装置１０Ｊの正面図である。パネル装置１０Ｊは画面２１と、硬貨投入口１７と、硬貨返却装置１８と、を含む。画面２１は、識別子画像（二次元バーコード）２２と、金額ウィンドウ２４と、複数の仮想制御キー２３と、仮想エンターキー２３ａと、を含む。支払処理及びパネル装置１０Ｊのコンポーネントの全ての機能は、パネル装置１０Ｉと同様であるため、ここでは省略される。詳細には、仮想エンターキー２３ａがパネル装置１０Ｊに導入されている。ユーザが複数の仮想制御キーを用いて、適切な支払金額を選択した後、金額ウィンドウ２４は支払金額を表示する。次いで、ユーザは、仮想エンターキー２３ａを用いて、支払金額を確定させることができる。二次元バーコード２２は、クラウド型硬貨投入装置８のメモリ１４内に記憶された支払アプリケーションプログラムのデータによりプロセッサ１２によりさらに生成される。オフライン支払モードの次の工程は、パネル装置１０Ｉのオフライン支払モードと同様である。パネル装置１０Ｊにおいて、複数の仮想制御キー２３及び仮想エンターキー２３ａは、金額ウィンドウ２４の下側に配置される。しかし、複数の仮想制御キー２３、仮想エンターキー２３ａ及び金額ウィンドウ２４の位置は、図１１に限られない。さらに、パネル装置１０Ｊの画面２１は、１００ｍｍに等しい辺長と４５ｍｍに等しい幅を備えた矩形状の装置であることができる。
【００２２】
図１２は、クラウド型硬貨投入装置８のパネル装置１０Ｋの正面図である。パネル装置１０Ｋは画面２１を含む。画面２１は、識別子画像（二次元バーコード）２２と、金額ウィンドウ２４と、複数の仮想制御キー２３と、を含む。支払処理及びパネル装置１０Ｋのコンポーネントの全ての機能は、パネル装置１０Ｉと同様であるため、ここでは省略される。詳細には、パネル装置１０Ｋには、パネル装置１０Ｉの硬貨投入口１７及び硬貨返却装置１８がない。このため、パネル装置１０Ｋは、従来の硬貨挿入ベースの硬貨投入装置とは互換性がない。言い換えると、パネル装置１０Ｋは、パネル装置１０Ｉよりも小さいパネル領域で実装されることができるが、従来の硬貨挿入ベースの硬貨投入装置の支払方法をサポートしていない。
【００２３】
図１３は、クラウド型硬貨投入装置８のパネル装置１０Ｌの正面図である。パネル装置１０Ｌは画面２１を含む。画面２１は、識別子画像（二次元バーコード）２２と、金額ウィンドウ２４と、複数の仮想制御キー２３と、仮想エンターキー２３ａと、を含む。支払処理及びパネル装置１０Ｌのコンポーネントの全ての機能は、パネル装置１０Ｊと同様であるため、ここでは省略される。詳細には、パネル装置１０Ｌには、パネル装置１０Ｊの硬貨投入口１７及び硬貨返却装置１８がない。このため、パネル装置１０Ｌは、従来の硬貨挿入ベースの硬貨投入装置とは互換性がない。言い換えると、パネル装置１０Ｌは、パネル装置１０Ｊよりも小さいパネル領域で実装されることができるが、従来の硬貨挿入ベースの硬貨投入装置の支払方法をサポートしていない。
【００２４】
クラウド型硬貨投入装置８の上述のパネル装置１０Ａからパネル装置１０Ｄは、オフライン支払モードを行うことをサポートするため、フルディスプレイスクリーン（full  display  screen）を備えたパネル装置として見なされる。詳細には、クラウド型硬貨投入装置８は、近距離無線通信の機能を行うこともできる。例えば、図１において、クラウド型硬貨投入装置８は、近距離無線通信モジュールＮＦＣをさらに含むことができる。近距離無線通信モジュールＮＦＣはプロセッサ１２に結合され、近距離無線通信の能力を用いてポータブル装置１６を感知する。このため、クラウド型硬貨投入装置８は、近距離無線通信を通して、ポータブル装置１６への接続を確立することができる。そのようにすることによって、クラウド型硬貨投入装置８は近距離無線通信ベースの支払メカニズムを行うことができる。近距離無線通信ベースの支払メカニズム及び対応するパネル装置が以下に説明される。
【００２５】
図１４は、クラウド型硬貨投入装置８のパネル装置１０Ｍの正面図である。パネル装置１０Ｍは、画面２１を含む。画面２１は、識別子画像（二次元コード）２５と、金額ウィンドウ２４と、複数の仮想制御キー２３と、を含む。金額ウィンドウ２４は、支払金額を表示するのに用いられる。複数の仮想制御キー２３は、支払金額を入力するのに用いられる。クラウド型硬貨投入装置８のパネル装置１０Ｍの支払モードが以下に説明される。まず、ユーザは、複数の仮想制御キー２３を用いて、支払金額を選択する。ユーザが適切な支払金額の選択を開始すると、金額ウィンドウ２４は、リアルタイムで対応する支払金額を表示する。この時、画面２１は近距離無線通信ベースの支払サービスをサポートする種々の支払会社マークを表示する。例えば、画面２１はＱｕｉｃｋ  Ｐａｓｓ及びＡｐｐｌｅ  Ｐａｙのマークを表示する。次に、近距離無線通信の能力を備えたポータブル装置１６は、ユーザによってパネル装置１０Ｍに近づけられる。次いで、パネル装置１０Ｍの近距離無線通信モジュールＮＦＣは、ポータブル装置１６から支払データ又は支払構成を受信することができる。近距離無線通信モジュールＮＦＣがポータブル装置１６を検出した後、パネル装置１０Ｍはポータブル装置１６への接続を確立し、支払処理を開始する。次いで、ポータブル装置１６及びクラウド型硬貨投入装置８は、クラウドサーバ１５（つまり、第三者支払会社）への接続を確立する。次に、ユーザは、ポータブル装置１６内にインストールされた支払アプリケーションプログラムの命令により支払処理を行うことを進めることができる。詳細には、クラウド型硬貨投入装置８、ポータブル装置１６及びクラウドサーバ１５は同期的に接続されているので、ユーザがポータブル装置１６内で支払処理を完了すると、クラウドサーバ１５は同期的に支払データ（又は支払メッセージ）を受信し、これを確認することができる。例えば、クラウドサーバ１５は、支払請求及び／又は支払受領の情報を同期させることができる。次いで、クラウド型硬貨投入装置８はトランシーバ１３を通じて、クラウドサーバ１５から支払確認メッセージを受信し、次いで、クラウド型硬貨投入装置８の支払処理を完了させる。特に、クラウド型硬貨投入装置８は、無線ベースのトランシーバ又は有線ベースのトランシーバを用いて、クラウドサーバ１５から支払確認メッセージを受信することができる。クラウド型硬貨投入装置８での支払処理が完了した後、クラウド型硬貨投入装置８はディスペンサー装置にメッセージを送信する。最後に、ディスペンサー装置は、ユーザに向けて対応する商品又はサービスを提供する。実施形態において、パネル装置１０Ａは、硬貨投入口１７と硬貨返却装置１８と、をさらに含む。言い換えると、パネル装置１０Ａを備えたクラウド型硬貨投入装置８は、従来のクラウド型硬貨投入装置の全ての機能を有する。追加的には、パネル装置１０Ｍとパネル装置１０Ｉのサイズ及び形状は同一であることができる。しかし、パネル装置１０Ｍのサイズ及び形状は任意であることもできる。さらに、識別子画像（種々の支払会社マーク）２５、金額ウィンドウ２４及び複数の仮想制御キー２３の位置は図１４に限られない。追加的に��、パネル装置１０Ｍの支払処理は上述の支払処理に限られない。例えば、ユーザは、支払金額を設定する工程を無視することができる。言い換えると、ユーザは、ポータブル装置１６の近距離無線通信の機能を直接的にイネイブル（enable）にすることができる。パネル装置１０Ｍは、ポータブル装置１６から所定の支払スキームを自動的に受信することができる。ポータブル装置１６とクラウド型硬貨投入装置８との接続を確立した後、ユーザは、ポータブル装置１６にインストールされた支払アプリケーションプログラムの命令により支払処理の行うことを進めることができる。次いで、クラウド型硬貨投入装置８はトランシーバ１３を通じて、クラウドサーバ１５から支払確認メッセージを受信し、次いで、クラウド型硬貨投入装置８の支払処理を完了させる。そのようにすることにより、同期的な支払オペレーションを行うため、近距離無線通信とともにネットワーク通信を用いるため、ユーザは操作利便性を向上させるオンライン支払モードを選択することができる。
【００２６】
図１５は、クラウド型硬貨投入装置８のパネル装置１０Ｎの正面図である。パネル装置１０Ｎは画面２１と、硬貨投入口１７と、硬貨返却装置１８と、を含む。画面２１は、識別子画像（二次元バーコード）２５と、金額ウィンドウ２４と、複数の仮想制御キー２３と、仮想エンターキー２３ａと、を含む。支払処理及びパネル装置１０Ｎのコンポーネントの全ての機能は、パネル装置１０Ｍと同様であるため、ここでは省略される。詳細には、仮想エンターキー２３ａがパネル装置１０Ｎに導入されている。言い換えると、ユーザが複数の仮想制御キー２３を用いて、適切な支払金額を選択すると、金額ウィンドウ２４はリアルタイムで支払金額を表示する。次いで、ユーザは、仮想エンターキー２３ａを用いて、支払金額を確定させることができる。この時、画面２１は近距離無線通信ベースの支払サービスをサポートする種々の支払会社マーク２５を表示する。例えば、画面２１はＱｕｉｃｋ  Ｐａｓｓ及びＡｐｐｌｅ  Ｐａｙのマークを表示する。次に、近距離無線通信の能力を備えたポータブル装置１６は、ユーザによってパネル装置１０Ｎに近づけられる。パネル装置１０Ｎの支払処理の次の工程は、パネル装置１０Ｍの支払処理と同様である。それらは、ここでは省略される。同様に、ユーザは、支払金額を設定する工程を無視することができる。言い換えると、ユーザは、ポータブル装置１６の近距離無線通信の機能を直接的にイネイブルにすることができる。パネル装置１０Ｍは、ポータブル装置１６から所定の支払スキームを自動的に受信することができる。ポータブル装置１６とクラウド型硬貨投入装置８との接続を確立した後、ユーザは、ポータブル装置１６にインストールされた支払アプリケーションプログラムの命令により支払処理の行うことを進めることができる。次いで、クラウド型硬貨投入装置８はトランシーバ１３を通じて、クラウドサーバ１５から支払確認メッセージを受信し、次いで、クラウド型硬貨投入装置８の支払処理を完了させる。パネル装置１０Ｎにおいて、複数の仮想制御キー２３及び仮想エンターキー２３ａは、金額ウィンドウ２４の下側に配置される。しかし、複数の仮想制御キー２３、仮想エンターキー２３ａ及び金額ウィンドウ２４の位置は、図１５に限られない。さらに、パネル装置１０Ｎの画面２１は、１００ｍｍに等しい辺長と４５ｍｍに等しい幅を備えた矩形状の装置であることができる。
【００２７】
図１６は、クラウド型硬貨投入装置８のパネル装置１０Ｏ正面図である。パネル装置１０Ｏは、画面２１を含む。画面２１は、識別子画像（二次元コード）２５と、金額ウィンドウ２４と、複数の仮想制御キー２３と、を含む。支払処理及びパネル装置１０Ｏのコンポーネントの全ての機能は、パネル装置１０Ｍと同様であるため、ここでは省略される。詳細には、パネル装置１０Ｏには、パネル装置１０Ｍの硬貨投入口１７及び硬貨返却装置１８がない。このため、パネル装置１０Ｏは、従来の硬貨挿入ベースの硬貨投入装置とは互換性がない。言い換えると、パネル装置１０Ｏは、パネル装置１０Ｍよりも小さいパネル領域で実装されることができるが、従来の硬貨挿入ベースの硬貨投入装置の支払方法をサポートしていない。
【００２８】
図１７は、クラウド型硬貨投入装置８のパネル装置１０Ｐの正面図である。パネル装置１０Ｐは画面２１を含む。画面２１は、識別子画像（二次元バーコード）２５と、金額ウィンドウ２４と、複数の仮想制御キー２３と、仮想エンターキー２３ａと、を含む。支払処理及びパネル装置１０Ｐのコンポーネントの全ての機能は、パネル装置１０Ｎと同様であるため、ここでは省略される。詳細には、パネル装置１０Ｐには、パネル装置１０Ｎの硬貨投入口１７及び硬貨返却装置１８がない。このため、パネル装置１０Ｐは、従来の硬貨挿入ベースの硬貨投入装置とは互換性がない。言い換えると、パネル装置１０Ｐは、パネル装置１０Ｎよりも小さいパネル領域で実装されることができるが、従来の硬貨挿入ベースの硬貨投入装置の支払方法をサポートしていない。
【００２９】
クラウド型硬貨投入装置８の上述のパネル装置１０Ａから１０Ｐは、次のように分類されることができる。パネル装置１０Ａからパネル装置１０Ｈはハーフスクリーンを備えたパネル装置に属する。パネル装置１０Ｉからパネル装置１０Ｐはフルスクリーンを備えたパネル装置に属する。パネル装置１０Ａからパネル装置１０Ｈ（つまり、ハーフスクリーン）は、オンライン支払モードをサポートすることができる。パネル装置１０Ｉからパネル装置１０Ｐ（つまり、フルスクリーン）は、オンライン支払モード又はオフライン支払モードをサポートすることができる。詳細には、近距離無線通信を備えないハーフスクリーンベースのパネル装置に属するパネル装置１０Ａからパネル装置１０Ｄは、オンライン支払モードをサポートすることができる。それらは、無線ベースのトランシーバ又は有線ベースのトランシーバを用いて、オンライン支払モードを行う。近距離無線通信を備えたハーフスクリーンベースのパネル装置に属するパネル装置１０Ｅからパネル装置１０Ｈは、オンライン支払モードをサポートすることができる。それらは、無線ベースのトランシーバ又は有線ベースのトランシーバを用いて、オンライン支払モードを行う。近距離無線通信を備えないフルスクリーンベースのパネル装置に属するパネル装置１０Ｉからパネル装置１０Ｌは、オフライン支払モードをサポートすることができる。つまり、サーバ１５への接続が確立されない。近距離無線通信を備えたフルスクリーンベースのパネル装置に属するパネル装置１０Ｍからパネル装置１０Ｐは、オンライン支払モードをサポートすることができる。それらは、無線ベースのトランシーバ又は有線ベースのトランシーバを用いて、オンライン支払モードを行う。
【００３０】
他の分類においては、パネル装置１０Ａからパネル装置１０Ｄ及びパネル装置１０Ｉからパネル装置１０Ｌはクラシックなパネル装置に属する。ポータブル装置１６は、クラシックなパネル装置から生成された二次元バーコードを識別することができる。パネル装置１０Ｅからパネル装置１０Ｈ及びパネル装置１０Ｍからパネル装置１０Ｐは改良パネル装置に属する。これらの改良パネル装置は近距離無線通信モジュールＮＦＣを有するため、それらは、近距離無線通信の能力を備えたポータブル装置１６から支払構成を識別し、これを受信することができる。さらに、パネル装置１０Ａからパネル装置１０Ｐは従来の硬貨投入装置又は従来の抽選器に適用されることができる。例えば、パネル装置１０Ａ、パネル装置１０Ｃ、パネル装置１０Ｅ、パネル装置１０Ｇ、パネル装置１０Ｉ、パネル装置１０Ｋ、パネル装置１０Ｍ及びパネル装置１０Ｏは、従来の抽選器に適用されることができる。パネル装置１０Ｂ、パネル装置１０Ｄ、パネル装置１０Ｆ、パネル装置１０Ｈ、パネル装置１０Ｊ、パネル装置１０Ｌ、パネル装置１０Ｎ及びパネル装置１０Ｐは、従来の硬貨投入装置に適用されることができる。追加的に、上述したパネル装置１０Ａからパネル装置１０Ｐは、従来の硬貨投入装置又は従来の抽選器に対して様々なサイズで適用されることができる。例えば、パネル装置１０Ａからパネル装置１０Ｐのサイズは、それらの装置がアイドル状態にあるときに広告を表示するため大きくされることができる。
【００３１】
パネル装置１０Ａから１０Ｄ及びパネル装置１０Ｉから１０Ｌにおいては（つまり、近距離無線通信ベースではないパネル装置）、ユーザは制御キーＡと制御キーＢ又は仮想制御キー２３を用いて、支払金額を選択することができる。次いで、パネル装置の画面は、対応する二次元コードを表示する。次いで、ユーザはポータブル装置１６を用いて、二次元バーコードをスキャンすることができる。このとき、オンライン支払モード又はオフライン支払モードがパネル装置１０Ａから１０Ｄ及びパネル装置１０Ｉから１０Ｌにより提供される。オンライン支払モードにおいては（つまり、パネル装置１０Ａからパネル装置１０Ｄによりサポートされる）、クラウド型硬貨投入装置８は、クラウドサーバ１５から支払データ（つまり、例えば、支払確認メッセージ）の情報を受信する。クラウド型硬貨投入装置８は、メッセージをディスペンサー装置に送信する。ディスペンサー装置は対応する商品又はサービスをユーザに提供する。オフライン支払モードにおいては（つまり、パネル装置１０Ｉからパネル装置１０Ｌ）、クラウド型硬貨投入装置８は、ユーザから入力される認証コードを検証する。認証コードの検証が成功した場合は、クラウド型硬貨投入装置８はメッセージをディスペンサー装置に送信する。ディスペンサー装置は対応する商品又はサービスをユーザに提供する。
【００３２】
パネル装置１０Ｅからパネル装置１０Ｈ及びパネル装置１０Ｍから１０Ｐにおいては（つまり、近距離無線通信ベースのパネル装置）、オンライン支払モードが提供される。ユーザはオンライ支払モードを用いることによってサービス又は商品を得ることができる。
【００３３】
要するに、本発明はクラウド型硬貨投入装置を開示する。クラウド型硬貨投入装置は、種々のパネル装置を用いる。詳細には、クラウド型硬貨投入装置がハーフスクリーンパネルデバイスを用いるときは、第三者支払機能を促進するオンライン支払モードが提供される。クラウド型硬貨投入装置がフルスクリーンパネルデバイスを用いるときは、オンライン支払モード及び／又はオフライン支払モードを提供する。従来の硬貨挿入ベースの硬貨投入装置ではなく、本願のクラウド型硬貨投入装置は、追加的な支払モードを提供するため、操作柔軟性及び利便性を向上させる。
【００３４】
当業者であれば、本装置及び本方法の多様な修正物及び代替物が、発明の教示を保持しつつなされることができることに容易に気づくだろう。したがって、上記の開示は、添付の特許請求の範囲の境界によってのみ制限されるものとして解釈されるべきである。
なお、上記の開示は次の態様を含む。
（１）  画面を含むパネル装置であって、該画面は、識別子画像と、支払金額を表示する金額ウィンドウと、前記支払金額及び／又は認証コードを入力するための複数の仮想制御キーと、を含む、パネル装置と、前記パネル装置に結合され、支払データを処理するプロセッサと、前記プロセッサに結合され、支払プログラムのデータを記憶するメモリと、を含むクラウド型硬貨投入装置。
（２）  前記識別子画像は、二次元バーコードの画像である、（１）に記載の装置。
（３）  前記画面は、前記支払金額及び又は前記認証コードを確定させる仮想エンターキーをさらに含む、（１）に記載の装置。
（４）  前記複数の仮想制御キー及び前記仮想エンターキーは前記金額ウィンドウの下側に配置された、（３）に記載の装置。
（５）  前記プロセッサに結合され、近距離無線通信の能力を用いてポータブル装置を感知する近距離無線通信モジュールをさらに含む、（１）に記載の装置。
（６）  前記識別子画像は、少なくとも支払会社マークを含む、（５）に記載の装置。
（７）  前記パネル装置は、少なくとも一つの硬貨を受ける硬貨投入口と、少なくとも一つの硬貨を返金する硬貨返却装置と、を含む、（１）に記載の装置。
（８）  前記複数の仮想制御キーは、前記金額ウィンドウの下側に配置された、（１）に記載の装置。
【図１】
0006356278.tif 000002
【図２】
0006356278.tif 000003
【図３】
0006356278.tif 000004
【図４】
0006356278.tif 000005
【図５】
0006356278.tif 000006
【図６】
0006356278.tif 000007
【図７】
0006356278.tif 000008
【図８】
0006356278.tif 000009
【図９】
0006356278.tif 000010
【図１０】
0006356278.tif 000011
【図１１】
0006356278.tif 000012
【図１２】
0006356278.tif 000013
【図１３】
0006356278.tif 000014
【図１４】
0006356278.tif 000015
【図１５】
0006356278.tif 000016
【図１６】
0006356278.tif 000017
【図１７】
0006356278.tif 000018